(57)【要約】【課題】  フラットな前面デザインを実現するとともにより一層の薄型化を実現可能とした空気調和機用室内ユニットを提供すること。【解決手段】  外装ケーシング１を、遠心ファン２及び室内側熱交換器３を収納する本体ケーシング部４と、本体ケーシング部４を背面側に延出して、本体ケーシング部４の背面側に吸入チャンバー５を形成する延出ケーシング部６とから構成する。また、遠心ファン２を、回転軸２１が前後方向であり、ハブ２２が本体ケーシング部４の前板４ａに対向し、遠心ファンの吸込口２４が本体ケーシング部４の背面側の吸入チャンバー５に連通するように配置する。そして、室内側熱交換器３の風下側となる外装ケーシング１の正面側における側端部に室内吹出口１１を設け、室内空気を吸入チャンバー５に吸い込むように延出ケーシング部に室内吸込口１４、１５、１６を形成する。【選択図】      図１
2006336910.tif 000002
【特許請求の範囲】
【請求項１】
外装を形成する外装ケーシングと、室内空気を搬送する遠心ファンと、室内空気と熱交換する室内側熱交換器と、室内空気を外装ケーシング内へ吸い込む室内吸込口と、室内側熱交換器で熱交換された空気を室内へ吹き出す室内吹出口とを有し、
外装ケーシングは、遠心ファン及び室内側熱交換器を収納する本体ケーシング部と、本体ケーシング部を背面側に延出して、本体ケーシング部の背面側に吸入チャンバーを形成する延出ケーシング部とからなり、
遠心ファンは、回転軸が前後方向であり、ハブが本体ケーシング部の前板に対向し、遠心ファンの吸込口が本体ケーシング部の背面側の吸入チャンバーに連通するように配置され、
室内側熱交換器は、遠心ファンを構成する羽根車の半径方向の側方に配置され、
室内吹出口は、室内側熱交換器の風下側となる外装ケーシングの正面側における側端部に設けられ、
室内吸込口は、室内空気を吸入チャンバーに吸い込むように延出ケーシング部に形成されている
ことを特徴とする空気調和機用室内ユニット。
【請求項２】
前記延出ケーシング部は、天板及び左右の側板を有し、これら天板及び左右の側板の３面に前記室内吸込口が形成されていることを特徴とする請求項１記載の空気調和機用室内ユニット。
【請求項３】
前記延出ケーシング部は、天板、左右の側板及び底板を有し、これら天板、左右の側板及び底板の４面に前記室内吸込口が形成されていることを特徴とする請求項１記載の空気調和機用室内ユニット。
【請求項４】
請求項１〜３の何れか１項記載の空気調和機用室内ユニットにおいて、前記延出ケーシング部内における遠心ファンの吸込口の風上側にエアーフィルタが設けられていることを特徴とする空気調和機用室内ユニット。
【請求項５】
前記本体ケーシング部を構成する前板に平板状に形成された平板状部を形成し、この平板状部の裏面側に暖房用のヒータが装着されていることを特徴とする請求項１〜４の何れか１項記載の空気調和機用室内ユニット。
【請求項６】
ヒートポンプ式空気調和機用室内ユニットとして構成されていることを特徴とする請求項５記載の空気調和機用室内ユニット。
【請求項７】
前記室内側熱交換器は、空気通過面の前板側が背面側に比し遠心ファンに近付くように傾斜して配置されていることを特徴とする請求項１〜６の何れか１項に記載の空気調和機用室内ユニット。
【請求項８】
請求項１〜７の何れか１項記載の空気調和機用室内ユニットにおいて、前記遠心ファンが横方向に所定間隔をおいて複数台設けられ、前記室内側熱交換器が遠心ファンの左右側方それぞれに配置され、前記室内吹出口が室内側熱交換器の風下側となる外装ケーシングの正面側における側端部と遠心ファン間に対応する部分とに設けられていることを特徴とする空気調和機用室内ユニット。
【請求項９】
請求項１〜７の何れか１項記載の空気調和機用室内ユニットにおいて、前記遠心ファンが高さ方向に所定間隔をおいて複数台設けられ、前記室内側熱交換器が各遠心ファンの羽根車の左右側方に配置され、室内吹出口が各室内側熱交換器の風下側となる外装ケーシングの正面側における側端部に設けられていることを特徴とする空気調和機用室内ユニット。
【請求項１０】
請求項１〜９の何れか１項記載の空気調和機用室内ユニットにおいて、遠心ファンの吸込口の吸込側に保護網が設けられていることを特徴とする空気調和機用室内ユニット。
【請求項１１】
前記遠心ファンは、本体ケーシング部の前板とハブとに跨って形成されたプリントモータにより駆動されるように構成されていることを特徴とする請求項１〜１０の何れか１項に記載の空気調和機用室内ユニット。
【発明の詳細な説明】
【技術分野】
【０００１】
本発明は、空気調和機等に用いられる空気調和機用室内ユニットに関し、特に薄型化に好適な空気調和機用室内ユニットに関する。
【背景技術】
【０００２】
従来、空気調和機用室内ユニットの形状に関しては一般的に奥行き寸法の低減、つまり薄型化が要請されている。また、空気調和機用室内ユニットの意匠に関しては前板に室内空気を外装ケーシング内に吸い込む室内吸込口を設けない平板状の前面デザインが要望されている。なお、このように前板に室内吸込口を設けないものをフラットと一般に称されている。以下の説明においてフラットと称するときは、このように室内吸込口を設けていない状態のものを意味する。
【０００３】
このような要望に対して、従来の薄型化を目指した空気調和機用室内ユニットとしては、室内吸込口を外装ケーシングの前板に設け、この室内吸込口に対向して室内側熱交換器を配置し、さらにその背面にターボファンなどの遠心ファンを配置し、室内側熱交換器で熱交換した空気を室内へ吹き出す室内吹出口を、外装ケーシングの上下左右の側面に設けたものが有る。このような空気調和機用室内ユニットは例えば特許文献１により公知である。以下これを従来室内ユニットＡと称する。また、薄型化を目指した従来公知の他の空気調和機用室内ユニットとして、室内吸込口を外装ケーシングの前板に設け、この室内吸込口に対向して室内側熱交換器を配置し、さらにその背面に遠心ファンを配置し、室内側熱交換器で熱交換した空気を室内へ吹き出す室内吹出口を外装ケーシングの下面に設けたものがある。このような空気調和機用室内ユニットは例えば特許文献２により公知である。以下これを従来室内ユニットＢと称する。
【０００４】
また、外装ケーシングの前板をフラットにした従来公知の空気調和機用室内ユニットとして、特許文献３に記載のものがある。これを従来室内ユニットＣと称する。この従来室内ユニットＣでは、室内吸込口を設けないフラットな形状とし、さらに、運転時、下方部を軸としてこの前板を回転可能させて前方に開き、前板の上部後側に室内吸込口を形成している。
【特許文献１】特開平１０−１２２５８９号公報
【特許文献２】特開２０００−２７４８０７号公報
【特許文献３】特開２０００−２３４７６０号公報
【発明の開示】
【発明が解決しようとする課題】
【０００５】
しかしながら、上記従来室内ユニットＡ及びＢは、室内吸込口を前板の中央部に大きく形成しているので、フラットな前面デザインを得ることができなかった。また、これら従来室内ユニットＡ及びＢは、室内側熱交換器と遠心ファンとが前後に配置されているため、更なる薄型化を目指すには構造上の限界があった。また、従来室内ユニットＣも、前板に沿わせて室内側熱交換器を配置し、その背面側にクロスフローファンを配置するものであるため、更なる薄型化を目指すには構造上の限界があった。また、この従来室内ユニットＣは、運転停止時には前板がフラットなデザインを形成しているが、運転時には下方部を軸として前板を前面に開くため、デザインが損なわれるという問題があった。
【０００６】
本発明は、上記従来技術に存在する問題点に着目してなされたものであって、フラットな前面デザインを実現するとともにより一層の薄型化を実現可能とした空気調和機用室内ユニットを提供することにある。
【課題を解決するための手段】
【０００７】
本発明に係る空気調和機用室内ユニットは、外装を形成する外装ケーシングと、室内空気を搬送する遠心ファンと、室内空気と熱交換する室内側熱交換器と、室内空気を外装ケーシング内へ吸い込む室内吸込口と、室内側熱交換器で熱交換された空気を室内へ吹き出す室内吹出口とを有し、外装ケーシングは、遠心ファン及び室内側熱交換器を収納する本体ケーシング部と、本体ケーシング部を背面側に延出して、本体ケーシング部の背面側に吸入チャンバーを形成する延出ケーシング部とからなり、遠心ファンは、回転軸が前後方向であり、ハブが本体ケーシング部の前板に対向し、遠心ファンの吸込口が本体ケーシング部の背面側の吸入チャンバーに連通するように配置され、室内側熱交換器は、遠心ファンを構成する羽根車の半径方向の側方に配置され、室内吹出口は、室内側熱交換器の風下側となる外装ケーシングの正面側における側端部に設けられ、室内吸込口は、室内空気を吸入チャンバーに吸い込むように延出ケーシング部に形成されていることを特徴とする。
【０００８】
このように構成された空気調和機用室内ユニットによれば、室内吸込口が室内空気を吸入チャンバーに吸い込むように延出ケーシング部に形成され、遠心ファンは回転軸が前後方向となり、ハブが本体ケーシング部の前板に対向し、遠心ファンの吸込口が本体ケーシング部の背面側の吸入チャンバーに連通するように配置されているので、外装ケーシングの前板をフラットなデザインに形成することができながら、背面を壁面に密着させて設置することができる。また、遠心ファンを構成する羽根車の半径方向の側方に室内側熱交換器を配置するとともに、延出ケーシング部に室内吸込口を設けているので、外装ケーシングの奥行き寸法を大きくすることなく、室内吸込口を確保することができる。このように構成されている結果、室内ユニット全体として薄型に構成することができ、据付状態及び運転時の何れにおいても壁面に対する納まりが良好となり、室内との調和が良好となる。
【０００９】
また、前記延出ケーシング部を天板及び左右の側板を有する構成とし、これら天板及び左右の側板の３面に前記室内吸込口を形成するようにしてもよい。このように構成すれば、床置き型に好適な薄型室内ユニットとすることができる。すなわち、床置き型としたときには、延出ケーシング部の下面は居住者の眼に触れないので、底板を省略することができる。一方居住者の眼に触れる天板及び左右の側板の３面に室内吸込口を設けているので、この室内吸込口にアクセントになる吸込グリルを設けるなどしてデザイン性を向上させることもできる。
【００１０】
また、前記延出ケーシング部の吸込チャンバー内を天板、左右の側板及び底板を有する構成とし、これら天板、左右の側板及び底板の４面に前記室内吸込口を形成するようにしてもよい。このように構成すれば、壁掛け型に好適な薄型室内ユニットとすることができる。すなわち、壁掛け型としたときには、前述の床置き型と異なり延出ケーシング部の天板、左右の側板及び底板の４面が居住者の眼に触れることになるが、これら４面に室内吸込口を設けているので、この室内吸込口にアクセントになる吸込グリルを設けるなどしてデザイン性を向上させることもできる。
【００１１】
また、前記延出ケーシング部内における遠心ファンの吸込口の風上側にエアーフィルタが設けるようにしてもよい。このように構成すれば、延出部内に十分な面積のエアーフィルタを設置することができる。
【００１２】
また、前記本体ケーシングを構成する前板に平板状に形成された平板状部を形成し、この平板状部の裏面側に暖房用のヒータを装着するようにしてもよい。このようにすれば、輻射暖房機能を備えた室内ユニットを構成することができる。また、このように構成された室内ユニットをヒートポンプ式空気調和機の室内ユニットとすれば、この輻射暖房機能とともにヒートポンプ式冷暖房機の暖房時における補助ヒータとすることもできる。
【００１３】
また、前記室内側熱交換器を、空気通過面の前板側が背面側に比し遠心ファンに近付くように傾斜して配置してもよい。このようにすれば、室内側熱交換器を本体ケーシング部内の空気流に対するガイドとして機能させることができるので、本体ケーシング部内の通風抵抗を減少させることができる。
【００１４】
また、上記空気調和機用室内ユニットにおいて、遠心ファンを横方向に所定間隔をおいて複数台設け、室内側熱交換器を各遠心ファンを構成する羽根車の左右側方に配置し、室内吹出口を室内側熱交換器の風下側となる外装ケーシングの正面側における側端部及び遠心ファン間に対応する部分とに設けるようにしてもよい。このように構成すれば、奥行き寸法及び上下方向の寸法を大きくせずに容量アップすることができる。
【００１５】
また、上記各空気調和機用室内ユニットにおいて、遠心ファンを高さ方向に所定間隔をおいて複数台設け、室内側熱交換器を、複数の遠心ファンからの吹出空気を流通させるように遠心ファンの左右側方に配置し、室内吹出口を室内側熱交換器の風下側となる外装ケーシングの正面側における側端部に設けるようにしてもよい。このように構成すれば、奥行き寸法及び幅方向の寸法を大きくせずに縦長の室内ユニットとして容量アップすることができる。
【００１６】
また、前記遠心ファンの吸込口の吸込側に保護網が設けるようにするのが好ましい。本発明に係る室内ユニットでは、遠心ファンの吸込側が開放されているので、操作者の手が羽根部に触れる恐れがあるが、このように保護網を設けることによりその恐れを回避することができる。
【００１７】
また、前記遠心ファンを、本体ケーシング部の前板とハブとに跨って形成されたプリントモータにより駆動されるように構成してもよい。このように構成すると、遠心ファンの駆動モータに必要な前後方向のスペースを小さくすることができるので、より一層薄型化を図ることができる。
【発明の効果】
【００１８】
本発明に係る空気調和機用室内ユニットによれば、外装ケーシングの前板をフラットなデザインに形成することができながら、背面を壁面に密着させて設置することができる。また、遠心ファンを構成する羽根車の半径方向の側方に室内側熱交換器を配置する構成としているので、本体ケーシング部を薄型に形成することができる。また、延出ケーシング部に室内吸込口を設けることにより、本体ケーシング部からの延出寸法を小さくすることができる。このように構成されている結果、室内ユニット全体として薄型に構成することができる。また、据付状態及び運転時に壁面に対する納まりが良好となるので室内との調和性も良好となる。
【発明を実施するための最良の形態】
【００１９】
以下、この発明の実施の形態に係る空気調和機用室内ユニットを図面に基づき説明する。なお、各実施の形態についての重複説明を避けるため、各図面において共通する部分には同一の符号を付し、各実施の形態におけるその部分についての説明を省略又は簡略化する。
【００２０】
（実施の形態１）
まず初めに、実施の形態１に係る空気調和機用室内ユニットを図１〜図４に基づいて説明する。
【００２１】
図１は実施の形態１に係る空気調和機用室内ユニットの平断面図である。図２は同空気調和機用室内ユニットの正面斜視図である。図３は同空気調和機用室内ユニットの背面斜視図であって、エアーフィルタを取り外した状態図である。図４は同空気調和機用室内ユニットのエアーフィルタの背面斜視図である。
【００２２】
実施の形態１に係る空気調和機用室内ユニットは、ヒートポンプ式セパレート型空気調和機の室内ユニットであって、床置きタイプのものを示す。この室内ユニットは、外装を形成する外装ケーシング１が遠心ファン２及び室内側熱交換器３を収納する本体ケーシング部４と、本体ケーシング部４の天板及び左右側板を背面側に延長して、内部を吸入チャンバー５とした延出ケーシング部６とから構成されている。
【００２３】
本体ケーシング部４は、正面視矩形であって、奥行き寸法の小さい角部がカットされた横長箱型に形成されている。また、本体ケーシング部４には、前板４ａの側端部分、つまり上記角部に室内側熱交換器３で熱交換された空気を室内に吹き出す室内吹出口１１が設けられている。なお、この室内吹出口１１には、吹出空気の風向を調整する吹出グリルが設けられている（図２参照）。
【００２４】
延出ケーシング部６は、天板６ａ及び左右の側板６ｂ、６ｃを有し、底板を有していない。底板を設けない理由は、この室内ユニットは床置き型であり、底面は使用者の眼に触れる所でないからである。また、この天板６ａ及び左右の側板６ｂ、６ｃには、それぞれ室内空気を機内に取り入れるための室内吸込口１４、１５、１６が形成され、これら室内吸込口１４、１５、１６には、それぞれ吸込グリルが設けられている（図２参照）。なお、この延出ケーシング部６の延出寸法は、延出ケーシング部６の天板６ａ及び左右の側板６ｂ、６ｃに所定面積の室内吸込口１４、１５、１６を形成するに必要な寸法により決定される。また、この延出ケーシング部６は、室内ユニットを壁面に密着させて取り付けた場合に、本体ケーシング部４の背面から室内空気を取り入れることを確実にするスペーサ的機能を有している。
【００２５】
延出ケーシング部６の内部に形成された吸入チャンバー５には、エアーフィルタ１８が設けられている。このエアーフィルタ１８は、図１及び図４（背面側から見た斜視図）に示すように、上面から見て台形状に折れ曲がった形状をしており、その傾斜面を空気通過面１８ａとしている。なお、このエアーフィルタ１８は、本体ケーシング部４の背面側仕切板４ｂに対し、スライド式、嵌込み式など適宜の手段により取り付けられている。また、具体的には図示されていないが、延出ケーシング部６の一部又は全体を取り外すことにより取り外し或いは取り付けができるように構成されている。
【００２６】
遠心ファン２は、ターボファンであって、背面側から空気を吸い込み、左右の半径方向に吹き出すように構成されている。すなわち、遠心ファン２は、回転軸２１を前後方向とし、ハブ２２を前板に沿わせ、羽根車２３の吸込口２４が本体ケーシング部４の背面側の吸入チャンバー５に連通するように配置されている。本体ケーシング部４の背面側仕切板４ｂには連通口を設け、この連通口にベルマウス２５が設けられている。また、ベルマウス２５の吸込側には、使用者が誤って遠心ファン２に手を触れることがないように、金網などの保護網２６が設けられている。遠心ファン２は、このように配置されることにより、室内吸込口１４、１５、１６を介して吸入チャンバー５から室内空気を吸入し、羽根車２３の半径方向に吹き出すように構成されている。そして、この場合において羽根車２３の上下の空間を小さく形成して、遠心ファン２からの吹出方向を羽根車２３の左右方向、すなわち左右の室内吹出口１１の方向としている。
【００２７】
このように構成された遠心ファン２は、室内ユニットの薄型化を効果的に行うために、駆動モータとしてプリントモータ２７が使用されている。プリントモータ２７は、前記回転軸２１と、ハブ２２に一体的に形成されたロータ部２８と、前板４ａに取り付けられたステータ部２９とから構成されている。プリントモータ２７は、交流電源が印加されると、ロータ部２８とステータ部２９との間に相対回転力が作用して、ロータ部２８が回転軸２１を中心として回転駆動され、羽根車２３が回転される。
【００２８】
室内側熱交換器３は、図１に示すように、遠心ファン２の吹出側である左右両側に略対称的に分散配置されている。なお、室内側熱交換器３としては、クロスフィンコイル式熱交換器や、並列に配置された複数の扁平チューブ間にコルゲートフィンを介在させて接合した高性能型の熱交換器などを用いることができる。
【００２９】
また、本実施の形態に係る空気調和機用室内ユニットは、図１及び図２に示すように壁面４０に密着して取り付けられ、図２に示すように床面４１に設置する床置き型で使用され、運転が行われることにより次のように作動する。
【００３０】
室内空気は延出ケーシング部６の室内吸込口１４、１５、１６から吸入チャンバー５に取り込まれ、エアーフィルタ１８の空気通過面１８ａで濾過される。エアーフィルタ１８で濾過された室内空気は、ベルマウス２５及び遠心ファンの吸込口２４を介して遠心ファン２に吸入される。遠心ファン２に吸入された室内空気は羽根車２３で昇圧されて、羽根車２３の半径方向に、特に、この実施の形態では左右方向に吹き出される。遠心ファン２から吹き出された空気は室内側熱交換器３で熱交換され、冷房時は冷風、暖房時は温風となって室内吹出口１１から吹き出される。
【００３１】
以上のように構成された空気調和機用室内ユニットは、次のような効果を奏することができる。
本発明に係る空気調和機用室内ユニットによれば、室内吸込口１４、１５、１６が室内空気を吸入チャンバー５に吸い込むように延出ケーシング部６に形成され、遠心ファン２は回転軸２１が前後方向となり、ハブ２２が本体ケーシング部４の前板４ａに対向し、遠心ファンの吸込口２４が本体ケーシング部４の背面側の吸入チャンバー５に連通するように配置されているので、外装ケーシング１の前板４ａをフラットなデザインに形成することができながら、背面を壁面４０に密着させて設置することができる。
【００３２】
また、遠心ファン２を構成する羽根車２３の半径方向の側方に室内側熱交換器３を配置するとともに、延出ケーシング部６に室内吸込口１４、１５、１６を設けているので、外装ケーシング１の奥行き寸法を大きくすることなく、室内吸込口１４、１５、１６を確保することができる。このように構成されている結果、室内ユニット全体として薄型に構成することができ、据付状態及び運転時の何れにおいても、壁面に対する納まりが良好となり、室内との調和性も良好となる。
【００３３】
また、延出ケーシング部６を天板６ａ及び左右の側板６ｂ、６ｃを有する構成とし、これら天板６ａ及び左右の側板６ｂ、６ｃの３面に前記室内吸込口１４、１５、１６を形成しているので、床置き型に好適な薄型室内ユニットとすることができる。すなわち、床置き型としたときには、延出ケーシング部６の下面は居住者の眼に触れないので、底板を省略することができ、外装ケーシング１の構成を合理的に簡素化することができる。一方、居住者の眼に触れる天板６ａ及び左右の側板６ｂ、６ｃの３面には、室内吸込口１４、１５、１６を設けているので、この室内吸込口１４、１５、１６に吸込グリルなどを設けてアクセントをつけることにより、デザイン性を向上させることもできる。
【００３４】
また、遠心ファンの吸込口２４の風上側に吸入チャンバー５が形成され、この吸入チャンバー５にエアーフィルタ１８が設けられているので、エアーフィルタ１８の面積を十分に大きくすることができる。また、吸入チャンバー５は、天板６ａ及び左右の側板６ｂ、６ｃを有する延出ケーシング部６内に形成されている空間であるので、この延出ケーシング部６全体又はこの延出ケーシング部６を構成する天板６ａ及び左右の側板６ｂ、６ｃのいずれかを開放可能とすることにより、簡単にエアーフィルタ１８を取り外しすることもできる。
【００３５】
遠心ファンの吸込口２４の吸込側に保護網２６を設けているので、操作者が誤って遠心ファン２の羽根車２３に手を触れることがなくなる。
また、本実施の形態では、遠心ファン２を、本体ケーシング部４の前板４ａと遠心ファン２のハブ２２とに跨って形成されたプリントモータ２７により駆動するように構成しているので、遠心ファン２の駆動モータに必要な前後方向のスペースを小さくすることができ、より一層薄型化を図ることができる。
【００３６】
（実施の形態２）
実施の形態２に係る空気調和機用室内ユニットは、図５の平面図に示すように実施の形態１におけるエアーフィルタ１８の形状を変更するとともに、室内吹出口１１を外装ケーシング部の正面側に変更したものである。
【００３７】
この実施の形態におけるエアーフィルタ５１は、図５に示すように、比較的に深さの浅いドーム型としたものである。したがって、実施の形態１の場合と異なり、ドーム型を構成する形状の全体に室内空気を通過させて濾過することができる。この結果、実施の形態１の場合に比較して、エアーフィルタ５１を小型化できる効果がある。
【００３８】
一方、この実施の形態における室内吹出口１１ａは、外装ケーシング１の前面に設けるようにしたものである。この場合は、外装ケーシング１内の空気流れにおいて、室内吹出口１１ａ近傍で急激に気流方向の変更が行われることになる。このため、機内空気抵抗が大きくなる可能性がある。そこで、機内空気抵抗の増加を軽減するため、本体ケーシング部４の背面側角部４ｃを円弧状の壁面に形成している。
【００３９】
（実施の形態３）
実施の形態３は、図６の背面斜視図に示すように、延出ケーシング部６に底板６ｄを設け、この底板６ｄにも室内吸込口１７を設けるようにしたものである。すなわち、この実施の形態では、延出ケーシング部６の天板６ａ、左右の側板６ｂ、６ｃ及び底板６ｄの４面に室内吸込口１４、１５、１６、１７を設けるようにしたものである。このように構成すると、実施の形態１の場合と異なり、下方からの外観体裁を整えることができるので、壁掛け型に適した空気調和機用室内ユニットとすることができる。
【００４０】
（実施の形態４）
実施の形態４は、図７の平断面図に示すように、室内側熱交換器３を傾斜させるようにしたものである。すなわち、実施の形態１では、室内側熱交換器３を前後方向に配置していた。これに対し、実施の形態４では、図７に示すように、室内側熱交換器３の空気通過面の正面側が遠心ファン２に近くなるように傾斜して配置されている。このように構成すると、室内側熱交換器３を本体ケーシング部４内の空気流に対するガイドとして機能させることができる。
【００４１】
（実施の形態５）
実施の形態５は、図８の正面斜視図に示すように、本体ケーシング部４の前板４ａに形成されている平板状部の裏面側に、パネル状ヒータ５４を装着したものである。このパネル状ヒータ５４としては面状電気ヒータが簡便で好ましい。本実施の形態に係る室内ユニットは、このように構成しているので、暖房運転時において、このパネル状ヒータ５４を作動させて室内ユニットに輻射暖房機能を付加することができる。また、このパネル状ヒータ５４を、ヒートポンプ式暖房時における補助ヒータとして利用することもできる。
【００４２】
（実施の形態６）
また、実施の形態６は、図９の正面斜視図に示すように、本体ケーシング部４の前板４ａに形成されている平板状部の裏面側に、ヘアピン状ヒータ５５を装着したものである。このヘアピン状ヒータ５５としては電気ヒータでもよいし、冷媒の凝縮熱を使用するようにしたものでもよい。このように構成しているので、暖房運転時において、このヘアピン状ヒータ５５を作動させて室内ユニットに輻射暖房機能を付加することができる。また、このヘアピン状ヒータ５５を、ヒートポンプ式暖房時における補助ヒータとして利用することもできる。
【００４３】
（実施の形態７）
実施の形態７は、実施の形態１において室内吸込口を実施の形態２のように外装ケーシング１の正面側としている。さらに、この実施の形態７は、このように室内吹出口１１ａに変更したものを２台横につないだ形状にしている。すなわち、実施の形態７は、図１０及び図１１に示すように、本体ケーシング部４内に遠心ファン２が左右方向に２個配置され、この各遠心ファン２の吸込口２４が延出ケーシング部６内に形成される吸入チャンバー５と連通するように配置されている。また、室内側熱交換器３が各遠心ファン２の左右側方に配置され、室内吹出口１１ａが室内側熱交換器３の風下側となる外装ケーシング１の正面における側端部分と遠心ファン２間に対応する部分とに設けられている。このように構成すれば、壁掛け型に適した、上下方向寸法の小さい薄型の室内ユニットに構成することができる。
【００４４】
なお、この実施の形態７においては、遠心ファン２を２個左右方向に配置するものを示しているが、遠心ファン２の数を３個以上としてこの実施の形態７に準じて室内ユニット内を構成して、さらに容量の大型化を行うこともできる。
【００４５】
（実施の形態８）
実施の形態８は、実施の形態１において室内吸込口を実施の形態２のように外装ケーシング１の正面側としたものを、２台高さ方向に並べたものである。すなわち、実施の形態８は、図１３に示す遠心ファン２の中心部における平断面が、上下において同一の構成となっている。内部の構成についてさらに述べると、図示されていないが、延出ケーシング部６内の吸入チャンバー５は上下一体化されており、本体ケーシング部４内の空気通路は上下で仕切られている。このように上下の仕切りを設けることにより、上下の遠心ファン２の吹出側における吹出気流が相互に干渉されないので、空気流れが円滑になる。このように構成されている結果、室内吹出口１１ａは、図１２に示すように、室内側熱交換器３の風下側となる外装ケーシング１の正面側における側端部に設けられている。この実施の形態によれば、奥行き寸法及び幅方向の寸法を大きくせずに縦長の室内ユニットとして容量アップすることができる。
【００４６】
なお、この実施の形態８においては、遠心ファン２を２個高さ方向に配置するものを示しているが、遠心ファン２の数を３個以上として実施の形態８に準じて室内ユニット内を構成して、さらに容量の大型化を行うこともできる。
【００４７】
以上説明した実施の形態について、次のようにさらに変形することもできる。
実施の形態３〜８において、エアーフィルタ１８に代えて、実施の形態２に示したエアーフィルタ５１を使用することもできる。特に、実施の形態７においては、吸入チャンバー５がエアーフィルタ１８により仕切られる形になっているので、遠心ファン２の吸込み側の通風抵抗のばらつきが発生する可能性があるが、このエアーフィルタ５１を使用することにより、そのような通風抵抗のばらつきを少なくすることができる。
【００４８】
また、実施の形態２、３、及び５〜８において、実施の形態４にならって室内側熱交換器３を傾斜させて配置することにより、本体ケーシング部４内の通風抵抗を減少させることもできる。
【００４９】
また、実施の形態２，４〜８において、実施の形態３にならって、延出ケーシング部６に底板６ｄを設け、これ実施の形態の室内ユニットを壁掛け型に適したものとすることもできる。
【００５０】
また、実施の形態２〜４、７及び８において、前板４ａに形成されている平板状部の裏面側に実施の形態５のパネル状ヒータ５４又は実施の形態６のヘアピン状ヒータ５５を装着して、これら室内ユニットに輻射暖房機能を付加することもできる。
【産業上の利用可能性】
【００５１】
本発明の空気調和機用室内ユニットの基本構成は、冷房専用機、冷暖房兼用機、暖房専用機の何れにも適用することができる。また、用途としても、家庭用、業務用何れの空気調和機にも適用することができる。
【図面の簡単な説明】
【００５２】
【図１】本発明の実施の形態１に係る空気調和機用室内ユニットの平断面図である。
【図２】同空気調和機用室内ユニットの正面斜視図である。
【図３】同空気調和機用室内ユニットの背面斜視図であって、エアーフィルタを取り外した状態図である。
【図４】同空気調和機用室内ユニットのエアーフィルタの背面斜視図である。
【図５】本発明の実施の形態２に係る空気調和機用室内ユニットの平断面図である。
【図６】本発明の実施の形態３に係る空気調和機用室内ユニットの背面斜視図である。
【図７】実施の形態４に係る空気調和機用室内ユニットの平断面図である。
【図８】本発明の実施の形態５に係る空気調和機用室内ユニットの正面斜視図である。
【図９】本発明の実施の形態６に係る空気調和機用室内ユニットの正面斜視図である。
【図１０】本発明の実施の形態７に係る空気調和機用室内ユニットの正面斜視図である。
【図１１】同空気調和機用室内ユニットの平断面図である。
【図１２】本発明の実施の形態８に係る空気調和機用室内ユニットの正面斜視図である。
【図１３】同空気調和機用室内ユニットの平断面図である。
【符号の説明】
【００５３】
１  外装ケーシング
２  遠心ファン
３  室内側熱交換器
４  本体ケーシング部
５  吸入チャンバー
６  延出ケーシング部
６ａ  天板
６ｂ、６ｃ  側板
６ｄ  底板
１１、１１ａ  室内吹出口
１４、１５、１６  室内吸込口
１８、５１  エアーフィルタ
１８ａ  空気通過面
２１  回転軸
２２  ハブ
２３  羽根車
２４  吸込口
２６  保護網
２７  プリントモータ
５４  パネル状ヒータ
５５  ヘアピン状ヒータ
【図１】
2006336910.tif 000003
【図２】
2006336910.tif 000004
【図３】
2006336910.tif 000005
【図４】
2006336910.tif 000006
【図５】
2006336910.tif 000007
【図６】
2006336910.tif 000008
【図７】
2006336910.tif 000009
【図８】
2006336910.tif 000010
【図９】
2006336910.tif 000011
【図１０】
2006336910.tif 000012
【図１１】
2006336910.tif 000013
【図１２】
2006336910.tif 000014
【図１３】
2006336910.tif 000015